(57)【特許請求の範囲】
【請求項１】
複数の端末装置と、複数の電子機器と接続される１以上の情報処理装置とを有する情報処理システムであって、
前記複数の端末装置のうちの第一の端末装置は、
前記複数の電子機器のうち一の電子機器の機器情報を記憶している機器情報記憶装置から前記一の電子機器の機器情報を取得する第一の機器情報取得手段と、
前記一の電子機器の前記機器情報を利用して、前記一の電子機器に対する電子データの出力要求を、前記１以上の情報処理装置に送信する出力要求手段と、を有し、
前記１以上の情報処理装置は、
前記一の電子機器に対する電子データの出力要求を受け付ける要求受付手段と、
前記要求受付手段で受け付けた出力要求に応じて前記一の電子機器に出力させる電子データの格納先及び該一の電子機器の識別情報を関連付けて記憶する記憶手段と、
前記一の電子機器に対する電子データの出力要求に基づき、前記一の電子機器に電子データの出力の実行を要求する出力要求処理手段と、
前記複数の端末装置のうちの第二の端末装置から前記一の電子機器が出力している電子データの取得要求を受け付けた場合に、前記一の電子機器の識別情報と関連付けて前記記憶手段に記憶されている電子データの格納先に基づいて、前記一の電子機器が出力している電子データを、前記第二の端末装置に送信する取得要求処理手段と、を有し、
前記複数の端末装置のうちの前記第二の端末装置は、
前記機器情報記憶装置から前記一の電子機器の機器情報を取得する第二の機器情報取得手段と、
前記一の電子機器の機器情報に基づき、前記一の電子機器が出力している電子データの取得要求を前記１以上の情報処理装置に送信して、前記一の電子機器が出力している前記電子データを前記情報処理装置から取得する取得要求手段と、
を有することを特徴とする情報処理システム。
【請求項２】
前記端末装置は第１のネットワークに接続され、前記１以上の情報処理装置は前記第１のネットワークと異なる第２のネットワークに接続され、
前記第一の端末装置の前記出力要求手段は、前記一の電子機器の前記機器情報を利用して、前記一の電子機器に対する電子データの出力要求を、中継装置を介して前記１以上の情報処理装置に送信し、
前記１以上の情報処理装置の前記要求受付手段は、当該１以上の情報処理装置から前記中継装置に対して送信される問い合わせに応じて前記中継装置から送信される前記出力要求を受け付け、
前記１以上の情報処理装置の前記取得要求処理手段は、当該１以上の情報処理装置から前記中継装置に対して送信される問い合わせに応じて前記中継装置から送信される前記取得要求を受け付けた場合に、前記一の電子機器の識別情報と関連付けて前記記憶手段に記憶されている電子データの格納先に基づいて、前記一の電子機器が出力している電子データを、前記中継装置を介して前記第二の端末装置に送信し、
前記複数の端末装置のうちの前記第二の端末装置は、
前記第一の端末装置の前記取得要求手段は、前記中継装置を介して前記取得要求を前記１以上の情報処理装置に送信して、前記中継装置を介して前記電子データを前記情報処理装置から取得する
ことを特徴とする請求項１記載の情報処理システム。
【請求項３】
前記第一の機器情報取得手段は近距離無線通信により前記機器情報記憶装置から前記機器情報を取得し、前記第二の機器情報取得手段は近距離無線通信により前記機器情報記憶装置から前記機器情報及び前記一の電子機器が出力している電子データの追跡情報を取得すること
を特徴とする請求項１又は２記載の情報処理システム。
【請求項４】
前記第一の端末装置の前記出力要求手段は前記一の電子機器が出力している電子データの取得に必要となる識別情報を、近距離無線通信により前記一の電子機器から取得し、前記機器情報及び前記識別情報を利用して、前記一の電子機器に対する電子データの出力要求を、前記情報処理装置に対して行い、
前記第二の端末装置の前記第二の機器情報取得手段は、前記機器情報記憶装置から前記機器情報、前記識別情報及び前記一の電子機器が出力している電子データの追跡情報を取得し、
前記取得要求手段は、前記機器情報、前記識別情報及び前記追跡情報を利用して、前記一の電子機器が出力している電子データの取得要求を、前記情報処理装置に送信して、前記一の電子機器が出力している前記電子データを前記情報処理装置から取得し、
前記情報処理装置の要求処理手段は、前記一の電子機器に対する電子データの出力要求を受け付けた場合に、前記識別情報及び前記追跡情報を前記機器情報記憶装置に保存させると共に、前記一の電子機器に対する電子データの出力要求に基づき前記一の電子機器に電子データの出力を実行させるように要求を行い、前記一の電子機器が出力している電子データの取得要求を受け付けた場合に、前記識別情報及び前記追跡情報に基づいて前記一の電子機器が出力している電子データを、前記第二の端末装置に提供する
ことを特徴とする請求項１乃至３何れか一項記載の情報処理システム。
【請求項５】
前記記憶手段は前記一の電子機器が出力可能なデータ形式に変換される前の元のデータ形式の電子データを記憶すること
を特徴とする請求項１乃至４何れか一項記載の情報処理システム。
【請求項６】
前記要求受付手段は、前記一の電子機器に対する電子データの出力要求を受け付けると共に、前記第二の端末装置への前記電子データの提供を許可するか否かの設定を受け付けること
を特徴とする請求項１乃至５何れか一項記載の情報処理システム。
【請求項７】
前記機器情報記憶装置は、前記一の電子機器に装着又は内蔵されること
を特徴とする請求項１乃至６何れか一項記載の情報処理システム。
【請求項８】
複数の端末装置に搭載されているプログラムと、複数の電子機器と接続される１以上の情報処理装置とを有する情報処理システムであって、
前記複数の端末装置のうちの第一の端末装置に搭載されたプログラムは、
前記複数の電子機器のうち一の電子機器の機器情報を記憶している機器情報記憶装置から前記一の電子機器の機器情報を取得する第一の機器情報取得手段と、
前記一の電子機器の前記機器情報を利用して、前記一の電子機器に対する電子データの出力要求を、前記１以上の情報処理装置に送信する出力要求手段と、を有し、
前記１以上の情報処理装置は、
前記一の電子機器に対する電子データの出力要求を受け付ける要求受付手段と、
前記要求受付手段で受け付けた出力要求に応じて前記一の電子機器に出力させる電子データの格納先及び該一の電子機器の識別情報を関連付けて記憶する記憶手段と、
前記一の電子機器に対する電子データの出力要求に基づき、前記一の電子機器に電子データの出力の実行を要求する出力要求処理手段と、
前記複数の端末装置のうちの第二の端末装置から前記一の電子機器が出力している電子データの取得要求を受け付けた場合に、前記一の電子機器の識別情報と関連付けて前記記憶手段に記憶されている電子データの格納先に基づいて、前記一の電子機器が出力している電子データを、前記第二の端末装置に送信する取得要求処理手段と、を有し、
前記複数の端末装置のうちの前記第二の端末装置に搭載されたプログラムは、
前記機器情報記憶装置から前記一の電子機器の機器情報を取得する第二の機器情報取得手段と、
前記一の電子機器の機器情報に基づき、前記一の電子機器が出力している電子データの取得要求を前記１以上の情報処理装置に送信して、前記一の電子機器が出力している前記電子データを前記情報処理装置から取得する取得要求手段と、
を有することを特徴とする情報処理システム。
【請求項９】
複数の端末装置と、複数の電子機器と、該複数の電子機器と接続される１以上の情報処理装置とを有する情報処理システムであって、
一の電子機器は、
機器情報記憶装置に記憶している前記複数の電子機器のうち一の電子機器の機器情報を管理し、前記複数の端末装置のうちの第一の端末装置からの要求に基づいて前記一の電子機器の機器情報を提供する機器情報管理手段と、
電子データの出力要求を受信し、前記電子データの出力を行う出力手段と、を有し、
前記複数の端末装置のうちの第一の端末装置は、
前記機器情報記憶装置から前記一の電子機器の機器情報を取得する第一の機器情報取得手段と、
前記一の電子機器の前記機器情報を利用して、前記一の電子機器に対する電子データの出力要求を、前記１以上の情報処理装置に送信する出力要求手段と、を有し、
前記１以上の情報処理装置は、
前記一の電子機器に対する電子データの出力要求を受け付ける要求受付手段と、
前記要求受付手段で受け付けた出力要求に応じて前記一の電子機器に出力させる電子データの格納先及び該一の電子機器の識別情報を関連付けて記憶する記憶手段と、
前記一の電子機器に対する電子データの出力要求に基づき、前記一の電子機器に電子データの出力の実行を要求する出力要求処理手段と、
前記複数の端末装置のうちの第二の端末装置から前記一の電子機器が出力している電子データの取得要求を受け付けた場合に、前記一の電子機器の識別情報と関連付けて前記記憶手段に記憶されている電子データの格納先に基づいて、前記一の電子機器が出力している電子データを、前記第二の端末装置に送信する取得要求処理手段と、を有し、
前記複数の端末装置のうちの前記第二の端末装置は、
前記機器情報記憶装置から前記一の電子機器の機器情報を取得する第二の機器情報取得手段と、
前記一の電子機器の機器情報に基づき、前記一の電子機器が出力している電子データの取得要求を前記１以上の情報処理装置に送信して、前記一の電子機器が出力している前記電子データを前記情報処理装置から取得する取得要求手段と、
を有することを特徴とする情報処理システム。
【請求項１０】
複数の端末装置及び複数の電子機器と接続される情報処理装置であって、
前記複数の電子機器のうちの一の電子機器に対する電子データの出力要求を、前記複数の端末装置のうちの第一の端末装置から受け付ける要求受付手段と、
前記要求受付手段で受け付けた出力要求に応じて前記一の電子機器に出力させる電子データの格納先及び該一の電子機器の識別情報を関連付けて記憶する記憶手段と、
前記一の電子機器に対する電子データの出力要求に基づき、前記一の電子機器に電子データの出力の実行を要求する出力要求処理手段と、
前記複数の端末装置のうちの第二の端末装置から前記一の電子機器が出力している電子データの取得要求を受け付けた場合に、前記一の電子機器の識別情報と関連付けて前記記憶手段に記憶されている電子データの格納先に基づいて、前記一の電子機器が出力している電子データを、前記第二の端末装置に送信する取得要求処理手段と、
を有することを特徴とする情報処理装置。
【請求項１１】
複数の端末装置及び複数の電子機器と接続される情報処理装置を、
前記複数の電子機器のうちの一の電子機器に対する電子データの出力要求を、前記複数の端末装置のうちの第一の端末装置から受け付ける要求受付手段、
前記要求受付手段で受け付けた出力要求に応じて前記一の電子機器に出力させる電子データの格納先及び該一の電子機器の識別情報を関連付けて記憶する記憶手段、
前記一の電子機器に対する電子データの出力要求に基づき、前記一の電子機器に電子データの出力の実行を要求する出力要求処理手段、
前記複数の端末装置のうちの第二の端末装置から前記一の電子機器が出力している電子データの取得要求を受け付けた場合に、前記一の電子機器の識別情報と関連付けて前記記憶手段に記憶されている電子データの格納先に基づいて、前記一の電子機器が出力している電子データを、前記第二の端末装置に送信する取得要求処理手段、
として機能させるためのプログラム。
【請求項１２】
複数の端末装置及び複数の電子機器と接続される情報処理装置において実行されるデータ取得方法であって、
前記複数の電子機器のうちの一の電子機器に対する電子データの出力要求を、前記複数の端末装置のうちの第一の端末装置から受け付ける要求受付ステップと、
前記要求受付ステップで受け付けた出力要求に応じて前記一の電子機器に出力させる電子データの格納先及び該一の電子機器の識別情報を関連付けて記憶手段に記憶する記憶ステップと、
前記一の電子機器に対する電子データの出力要求に基づき、前記一の電子機器に電子データの出力の実行を要求する出力要求処理ステップと、
前記複数の端末装置のうちの第二の端末装置から前記一の電子機器が出力している電子データの取得要求を受け付けた場合に、前記一の電子機器の識別情報と関連付けて前記記憶手段に記憶されている電子データの格納先に基づいて、前記一の電子機器が出力している電子データを、前記第二の端末装置に送信する取得要求処理ステップと、
を有することを特徴とするデータ取得方法。
【発明の詳細な説明】
【技術分野】
【０００１】
本発明は情報処理システム、情報処理装置、データ取得方法及びプログラムに関する。
【背景技術】
【０００２】
複数の情報端末装置とプロジェクタとの間でネットワーク接続を行い、情報端末装置が保有する画像データファイルを共有化するプロジェクタのネットワークシステムは従来から知られている（例えば特許文献１参照）。
【発明の概要】
【発明が解決しようとする課題】
【０００３】
例えばユーザは携帯電話、スマートフォン、タブレット端末などの様々な端末装置からＬＡＮ等のネットワークに接続されたプリンタ、複合機、プロジェクタ等の電子機器を制御して、電子機器にファイルを出力させる場合がある。
【０００４】
このような場合に、端末装置から電子機器にファイルを出力させているユーザ以外の第三者は、電子機器に出力されているファイルを自分の端末装置に取得したいと考えることがある。しかしながら、第三者は電子機器に出力されているファイルを容易に取得できないという問題があった。
【０００５】
本発明の一実施形態は、電子機器が出力しているデータを、端末装置が容易に取得できる情報処理システム、情報処理装置、データ取得方法及びプログラムを提供することを目的とする。
【課題を解決するための手段】
【０００６】
上記目的を達成するため、本願請求項１は、複数の端末装置と、複数の電子機器と接続される１以上の情報処理装置とを有する情報処理システムであって、前記複数の端末装置のうちの第一の端末装置は、前記複数の電子機器のうち一の電子機器の機器情報を記憶している機器情報記憶装置から前記一の電子機器の機器情報を取得する第一の機器情報取得手段と、前記一の電子機器の前記機器情報を利用して、前記一の電子機器に対する電子データの出力要求を、前記１以上の情報処理装置に送信する出力要求手段と、を有し、前記１以上の情報処理装置は、前記一の電子機器に対する電子データの出力要求を受け付ける要求受付手段と、前記要求受付手段で受け付けた出力要求に応じて前記一の電子機器に出力させる電子データの格納先及び該一の電子機器の識別情報を関連付けて記憶する記憶手段と、前記一の電子機器に対する電子データの出力要求に基づき、前記一の電子機器に電子データの出力の実行を要求する出力要求処理手段と、前記複数の端末装置のうちの第二の端末装置から前記一の電子機器が出力している電子データの取得要求を受け付けた場合に、前記一の電子機器の識別情報と関連付けて前記記憶手段に記憶されている電子データの格納先に基づいて、前記一の電子機器が出力している電子データを、前記第二の端末装置に送信する取得要求処理手段と、を有し、前記複数の端末装置のうちの前記第二の端末装置は、前記機器情報記憶装置から前記一の電子機器の機器情報を取得する第二の機器情報取得手段と、前記一の電子機器の機器情報に基づき、前記一の電子機器が出力している電子データの取得要求を前記１以上の情報処理装置に送信して、前記一の電子機器が出力している前記電子データを前記情報処理装置から取得する取得要求手段と、を有することを特徴とする。
【発明の効果】
【０００７】
本発明の一実施形態によれば、電子機器が出力しているデータを、端末装置が容易に取得できる。
【図面の簡単な説明】
【０００８】
【図１】本実施形態に係る連携処理システムの一例の構成図である。
【図２】本実施形態に係るコンピュータの一例のハードウェア構成図である。
【図３】本実施形態に係る端末装置の一例のハードウェア構成図である。
【図４】本実施形態に係るプロジェクタの一例のハードウェア構成図である。
【図５】本実施形態に係るスマートフォンの一例の処理ブロック図である。
【図６】本実施形態に係る情報蓄積装置の一例の処理ブロック図である。
【図７】本実施形態に係るプロジェクタの一例の処理ブロック図である。
【図８】機器情報を取得する手順の一例の説明図である。
【図９】近距離無線装置が記憶している機器情報の一例の構成図である。
【図１０】本実施形態の連携処理システムにおいてファイルの投影と原本の取得を行う処理の一例のシーケンス図である。
【図１１】原本追跡情報が登録された機器情報の一例の構成図である。
【図１２】リクエスト情報の一例の構成図である。
【図１３】原本取得をユーザから受け付けるＵＩの一例のイメージ図である。
【図１４】プロジェクタ選択をユーザから受け付けるＵＩの一例のイメージ図である。
【図１５】本実施形態に係るプロジェクタの他の例の処理ブロック図である。
【図１６】近距離無線装置が記憶している機器情報の他の例の構成図である。
【図１７】本実施形態の連携処理システムにおいてファイルの投影と原本の取得を行う処理の他の例のシーケンス図である。
【図１８】原本追跡情報が登録された機器情報の他の例の構成図である。
【図１９】本実施形態の連携処理システムにおいてファイルの投影とファイルの印刷を行う処理の一例のシーケンス図である。
【図２０】ファイル出力の選択をユーザから受け付けるＵＩの一例のイメージ図である。
【図２１】印刷、原本取得、表示をユーザから受け付けるＵＩの一例のイメージ図である。
【図２２】本実施形態に係る連携処理システムの他の例の構成図である。
【図２３】本実施形態の連携処理システムにおいてファイルの投影と原本の取得を行う処理の他の例のシーケンス図である。
【図２４】本実施形態の連携処理システムにおいてファイルの投影と原本の取得を行う処理の他の例のシーケンス図である。
【発明を実施するための形態】
【０００９】
次に、本発明の実施の形態について、詳細に説明する。本実施形態の連携処理システム１は情報処理システムの一例である。
［第１の実施形態］
＜システム構成＞
図１は本実施形態に係る連携処理システムの一例の構成図である。図１の連携処理システム１は、情報蓄積装置１０と、スマートフォン１１ａ及び１１ｂと、プロジェクタ１２Ａ及び１２Ｂと、インタラクティブホワイトボード（以下、ＩＷＢと呼ぶ）１３Ａ及び１３Ｂと、ＭＦＰ（Ｍｕｌｔｉ  Ｆｕｎｃｔｉｏｎ  Ｐｅｒｉｐｈｅｒａｌ：複合機）１４Ａ及び１４Ｂと、中継サーバ１９と、を有する構成を一例として示している。
【００１０】
プロジェクタ１２Ａ、ＩＷＢ１３Ａ、ＭＦＰ１４Ａには、近距離無線装置１６Ａ、１７Ａ、１８Ａが内蔵又は装着されている。また、プロジェクタ１２Ｂ、ＩＷＢ１３Ｂ、ＭＦＰ１４Ｂには、近距離無線装置１６Ｂ、１７Ｂ、１８Ｂが内蔵又は装着されている。
【００１１】
なお、近距離無線装置１６Ａ及び１６Ｂの何れでもよい場合は、単に近距離無線装置１６と呼ぶ。同様に、近距離無線装置１７Ａ及び１７Ｂの何れでもよい場合は、単に近距離無線装置１７と呼ぶ。また、近距離無線装置１８Ａ及び１８Ｂの何れでもよい場合は単に近距離無線装置１８と呼ぶ。
【００１２】
連携処理システム１は、情報蓄積装置１０とプロジェクタ１２Ａ及び１２ＢとＩＷＢ１３Ａ及び１３ＢとＭＦＰ１４Ａ及び１４ＢとがＬＡＮ等のネットワークＮ３に接続されている。また、連携処理システム１において情報蓄積装置１０はインターネット等のネットワークＮ２に接続可能である。
【００１３】
なお、図１の連携処理システム１はプロジェクタ１２ＡとＩＷＢ１３ＡとＭＦＰ１４Ａとが会議室Ａに設置され、プロジェクタ１２ＢとＩＷＢ１３ＢとＭＦＰ１４Ｂとが会議室Ｂに設置されている例を示している。図１の連携処理システム１は情報蓄積装置１０が会議室Ａ、Ｂ以外に設置された例を示しているが、会議室Ａ又はＢに設置してもよい。
【００１４】
また、連携処理システム１はインターネット等のネットワークＮ２に中継サーバ１９が存在している。さらに、連携処理システム１は電話回線などのネットワークＮ１に接続可能なスマートフォン１１ａ及び１１ｂが存在している。スマートフォン１１ａ及び１１ｂはネットワークＮ１を利用してネットワークＮ２に存在している中継サーバ１９に接続可能である。また、情報蓄積装置１０もネットワークＮ２に存在している中継サーバ１９に接続可能である。
【００１５】
ネットワークＮ１は、例えば３Ｇ回線などの電話回線を利用できる。ネットワークＮ３は企業内ネットワークなど、プライベート環境のイントラネットを利用できる。ネットワークＮ２に存在する中継サーバ１９はスマートフォン１１ａ及び１１ｂがネットワークＮ１及びＮ２を介して直接、情報蓄積装置１０に接続できる場合に省略できる。
【００１６】
情報蓄積装置１０は情報共有機能を有する情報処理装置の一例である。情報蓄積装置１０はスマートフォン１１ａ及び１１ｂで処理できないような高機能処理の実行や、ファイルサーバとしての処理の実行、中継サーバ１９に接続してスマートフォン１１ａ又は１１ｂからのリクエスト（要求）を取得する処理の実行を行う。また、情報蓄積装置１０は複数のコンピュータに分散して構成するようにしてもよい。
【００１７】
スマートフォン１１ａ及び１１ｂは、ユーザが操作する端末装置の一例である。端末装置は、スマートフォン１１ａ及び１１ｂの他、携帯電話、ノートＰＣ、タブレット端末などのユーザが操作できる装置であればよい。
【００１８】
プロジェクタ１２Ａ及び１２ＢとＩＷＢ１３Ａ及び１３ＢとＭＦＰ１４Ａ及び１４Ｂとはスマートフォン１１ａ及び１１ｂから制御される電子機器の一例である。プロジェクタ１２Ａ及び１２ＢとＩＷＢ１３Ａ及び１３ＢとＭＦＰ１４Ａ及び１４ＢはネットワークＮ３上にインタフェース（ＩＦ）を提供している。
【００１９】
プロジェクタ１２Ａ及び１２Ｂは画像投影装置の一例である。なお、プロジェクタ１２Ａ及び１２Ｂの何れでもよい場合は、単にプロジェクタ１２と呼ぶ。プロジェクタ１２は投影機能及び通信機能を備える。
【００２０】
ＩＷＢ１３Ａ及び１３Ｂは画像表示装置の一例である。なお、ＩＷＢ１３Ａ及び１３Ｂの何れでもよい場合は、単にＩＷＢ１３と呼ぶ。ＩＷＢ１３は表示機能及び通信機能を備える。ＭＦＰ１４Ａ及び１４Ｂは画像形成装置の一例である。なお、ＭＦＰ１４Ａ及び１４Ｂの何れでもよい場合は、単にＭＦＰ１４と呼ぶ。ＭＦＰ１４は撮像機能、画像形成機能及び通信機能を備え、プリンタ、ファクシミリ、スキャナ、複写機等として利用可能である。
【００２１】
近距離無線装置１６、１７、１８は、Ｂｌｕｅｔｏｏｔｈ（登録商標）やＮＦＣ（Ｎｅａｒ  Ｆｉｅｌｄ  Ｃｏｍｍｕｎｉｃａｔｉｏｎ）等の短距離無線通信を利用して、後述の機器情報をスマートフォン１１ａ又は１１ｂに提供する。
【００２２】
図１の連携処理システム１はスマートフォン１１ａ及び１１ｂが会議室Ａに存在している例を示している。なお、スマートフォン１１ａ及び１１ｂの何れでもよい場合は、単にスマートフォン１１と呼ぶ。例えば図１の連携処理システム１に存在するスマートフォン１１は近距離無線装置１６Ａ、１７Ａ及び１８Ａから後述の機器情報を取得する。
【００２３】
＜ハードウェア構成＞
《コンピュータ》
情報蓄積装置１０及び中継サーバ１９は、例えば図２に示すようなハードウェア構成のコンピュータにより実現される。図２は、本実施形態に係るコンピュータの一例のハードウェア構成図である。
【００２４】
図２のコンピュータ５００は入力装置５０１、表示装置５０２、外部Ｉ／Ｆ５０３、ＲＡＭ５０４、ＲＯＭ５０５、ＣＰＵ５０６、通信Ｉ／Ｆ５０７及びＨＤＤ５０８などを備え、それぞれがバスＢで相互に接続されている。なお、入力装置５０１及び表示装置５０２は必要なときに接続して利用する形態であってもよい。
【００２５】
入力装置５０１はキーボードやマウス、タッチパネルなどを含み、ユーザが各操作信号を入力するのに用いられる。表示装置５０２はディスプレイ等を含み、コンピュータ５００による処理結果を表示する。
【００２６】
通信Ｉ／Ｆ５０７はコンピュータ５００を各種ネットワークに接続するインタフェースである。これにより、コンピュータ５００は通信Ｉ／Ｆ５０７を介してデータ通信を行うことができる。
【００２７】
また、ＨＤＤ５０８は、プログラムやデータを格納している不揮発性の記憶装置の一例である。格納されるプログラムやデータには、コンピュータ５００全体を制御する基本ソフトウェアであるＯＳ、及びＯＳ上において各種機能を提供するアプリケーションソフトウェア（以下、単にアプリケーションと呼ぶ）などがある。なお、コンピュータ５００はＨＤＤ５０８に替え、記憶媒体としてフラッシュメモリを用いるドライブ装置（例えばソリッドステートドライブ：ＳＳＤ）を利用するものであってもよい。
【００２８】
外部Ｉ／Ｆ５０３は、外部装置とのインタフェースである。外部装置には、記録媒体５０３ａなどがある。これにより、コンピュータ５００は外部Ｉ／Ｆ５０３を介して記録媒体５０３ａの読み取り及び／又は書き込みを行うことができる。記録媒体５０３ａにはフレキシブルディスク、ＣＤ、ＤＶＤ、ＳＤメモリカード、ＵＳＢメモリなどがある。
【００２９】
ＲＯＭ５０５は、電源を切ってもプログラムやデータを保持することができる不揮発性の半導体メモリ（記憶装置）の一例である。ＲＯＭ５０５にはコンピュータ５００の起動時に実行されるＢＩＯＳ、ＯＳ設定、及びネットワーク設定などのプログラムやデータが格納されている。ＲＡＭ５０４はプログラムやデータを一時保持する揮発性の半導体メモリ（記憶装置）の一例である。
【００３０】
ＣＰＵ５０６は、ＲＯＭ５０５やＨＤＤ５０８などの記憶装置からプログラムやデータをＲＡＭ５０４上に読み出し、処理を実行することで、コンピュータ５００全体の制御や機能を実現する演算装置である。
【００３１】
情報蓄積装置１０及び中継サーバ１９は例えば図２に示すコンピュータ５００のハードウェア構成により、後述するような各種処理を実現できる。
【００３２】
《端末装置》
スマートフォン１１は例えば図３に示すハードウェア構成により実現される。図３は本実施形態に係る端末装置の一例のハードウェア構成図である。図３の端末装置６００は例えばＣＰＵ６０１、ＲＯＭ６０２、ＲＡＭ６０３、ＥＥＰＲＯＭ６０４、ＣＭＯＳセンサ６０５、加速度・方位センサ６０６、メディアドライブ６０８を備えている。
【００３３】
ＣＰＵ６０１は端末装置６００全体の動作を制御する。ＲＯＭ６０２は基本入出力プログラムを記憶している。ＲＡＭ６０３はＣＰＵ６０１のワークエリアとして使用される。ＥＥＰＲＯＭ６０４はＣＰＵ６０１の制御にしたがってデータの読み出し又は書き込みを行う。ＣＭＯＳセンサ６０５は、ＣＰＵ６０１の制御に従って被写体を撮像し画像データを得る。加速度・方位センサ６０６は地磁気を検知する電子磁気コンパスやジャイロコンパス、加速度センサ等である。
【００３４】
メディアドライブ６０８は、フラッシュメモリ等の記録メディア６０７に対するデータの読み出し又は書き込み（記憶）を制御する。メディアドライブ６０８は、既に記録されていたデータが読み出され又は新たにデータが書き込まれて記憶する記録メディア６０７を着脱自在な構成となっている。
【００３５】
なお、ＥＥＰＲＯＭ６０４には、ＣＰＵ６０１が実行するＯＳ、ネットワーク設定に必要なアソシエーション情報等が記憶されている。本発明の実施形態における各種処理を実行するためのアプリケーションは、ＥＥＰＲＯＭ６０４又は記録メディア６０７などに記憶されている。
【００３６】
また、ＣＭＯＳセンサ６０５は光を電荷に変換して被写体の画像を電子化する電荷結合素子である。ＣＭＯＳセンサ６０５は被写体を撮像することができるのであれば、例えばＣＣＤ（Charge  Coupled  Device）センサであってもよい。
【００３７】
さらに、端末装置６００は音声入力部６０９、音声出力部６１０、アンテナ６１１、通信部６１２、無線ＬＡＮ通信部６１３、近距離無線通信用アンテナ６１４、近距離無線通信部６１５、ディスプレイ６１６、タッチパネル６１７及びバスライン６１９を備える。
【００３８】
音声入力部６０９は音声を音声信号に変換する。音声出力部６１０は音声信号を音声に変換する。通信部６１２はアンテナ６１１を利用して無線通信信号により最寄りの基地局装置と通信を行う。無線ＬＡＮ通信部６１３はアクセスポイントとＩＥＥＥ８０４１１規格に準拠する無線ＬＡＮ通信を行う。近距離無線通信部６１５は近距離無線通信用アンテナ６１４を利用した近距離無線通信を行う。
【００３９】
ディスプレイ６１６は、被写体の画像や各種アイコン等を表示する液晶や有機ＥＬ等である。タッチパネル６１７は、ディスプレイ６１６上に載せられ、感圧式又は静電式のパネルによって構成され、指やタッチペン等によるタッチによってディスプレイ６１６上におけるタッチ位置を検出する。バスライン６１９は上記各部を電気的に接続するためのアドレスバスやデータバス等である。
【００４０】
また、端末装置６００は専用の電池６１８を備えている。端末装置６００は電池６１８によって駆動される。なお、音声入力部６０９は音声を入力するマイクが含まれる。音声出力部６１０は音声を出力するスピーカが含まれている。
【００４１】
スマートフォン１１は例えば図３に示す端末装置６００のハードウェア構成により後述するような各種処理を実現できる。
【００４２】
《プロジェクタ》
ここでは電子機器のハードウェア構成の一例として、プロジェクタ１２のハードウェア構成について説明する。プロジェクタ１２は例えば図４に示すようなハードウェア構成のコンピュータにより実現される。図４は、本実施形態に係るプロジェクタの一例のハードウェア構成図である。
【００４３】
図４のプロジェクタ１２は例えばＣＰＵ７０１、ＲＡＭ７０２、ＲＯＭ７０３、通信部７０４、アンテナ７０５、操作キー７０６、近距離無線通信部７０７、近距離無線通信用アンテナ７０８、投影装置７０９及びバスライン７１０を備える。
【００４４】
ＣＰＵ７０１は、プロジェクタ１２全体の動作を制御する。ＲＡＭ７０２は、ＣＰＵ７０１のワークエリアとして使用される。ＲＯＭ７０３は、基本入出力プログラムを記憶している。
【００４５】
通信部７０４はアンテナ７０５を利用して無線通信信号により最寄りの基地局装置やアクセスポイントと通信を行う。なお、通信部７０４は有線通信信号によりネットワークＮ３とデータ通信を行うようにしてもよい。操作キー７０６はプロジェクタ１２に設けられているハードキー等である。近距離無線通信部７０７は近距離無線通信用アンテナ７０８を利用した近距離無線通信を行う。また、投影装置７０９は出力リクエストを受信した出力対象のファイルを投影（出力）する。
【００４６】
＜ソフトウェア構成＞
《スマートフォン》
本実施形態に係るスマートフォン１１は例えば図５に示すような処理ブロックで実現される。図５は本実施形態に係るスマートフォンの一例の処理ブロック図である。スマートフォン１１はプログラムを搭載して実行することで、表示部２１、入力部２２、無線通信部２３、近距離無線通信部２４、データ送信部２５、データ受信部２６、機器情報取得部２７、記憶部２８、出力依頼部２９、原本取得依頼部３０を実現している。
【００４７】
表示部２１はディスプレイ６１６に表示する画面の制御を行う。入力部２２はタッチパネル６１７からユーザによる入力の操作を受け付ける。無線通信部２３は通信部６１２や無線ＬＡＮ通信部６１３による無線通信を実行する。近距離無線通信部２４は近距離無線通信部６１５による近距離無線通信を実行する。
【００４８】
データ送信部２５は無線通信を利用したデータ（ファイル）送信を行う。データ受信部２６は無線通信を利用したデータ（ファイル）受信を行う。機器情報取得部２７は近距離無線通信部２４を利用して近距離無線装置１６、１７又は１８から後述の機器情報を取得する。記憶部２８は取得した後述の機器情報を記憶する。
【００４９】
出力依頼部２９は後述の機器情報を利用し、例えばプロジェクタ１２などの電子機器に対するファイル出力依頼（リクエスト）を、中継サーバ１９経由で情報蓄積装置１０に送信する。原本取得依頼部３０は後述の機器情報を利用し、例えばプロジェクタ１２などの電子機器が出力中のファイルの原本取得依頼を、中継サーバ１９経由で情報蓄積装置１０に送信する。なお、原本取得依頼は電子機器が出力可能なデータ形式に変換される前の元のデータ形式のファイル（原本）を取得するための依頼である。
【００５０】
《情報蓄積装置》
本実施形態に係る情報蓄積装置１０は例えば図６に示す処理ブロックで実現される。図６は本実施形態に係る情報蓄積装置の一例の処理ブロック図である。情報蓄積装置１０はプログラムを実行することで、入力部４１、通信部４２、データ送信部４３、データ受信部４４、ファイル管理部４５、リクエスト問い合わせ部４６、リクエスト受付部４７、リクエスト処理部４８、記憶部４９、リクエスト送信部５０を実現している。
【００５１】
入力部４１は入力装置５０１からユーザによる入力の操作を受け付ける。通信部４２は通信Ｉ／Ｆ５０７による通信を実行する。データ送信部４３は通信を利用したデータ送信を行う。データ受信部４４は通信を利用したデータ受信を行う。また、ファイル管理部４５はＳＭＢ（Server Message Block）プロトコルによってネットワークＮ２、Ｎ３上で公開された共有フォルダを管理し、必要に応じてファイルのデータ形式の変換（ファイル変換）の処理を行う。ファイル管理部４５は後述の機器情報と対応付けてファイルを保存できる。なお、本実施形態におけるファイルはデータの一形態である。
【００５２】
リクエスト問い合わせ部４６は自身へのリクエストが無いかを中継サーバ１９に問い合わせる処理を行う。リクエスト受付部４７はスマートフォン１１からのリクエスト（ＨＴＴＰリクエスト）を中継サーバ１９から受け付ける処理を行う。リクエスト処理部４８は受け付けたスマートフォン１１からのリクエスト（ＨＴＴＰリクエスト）に応じた処理を行う。記憶部４９は共有フォルダを記憶する。リクエスト送信部５０はプロジェクタ１２などの電子機器にリクエストを送信する処理を行う。
【００５３】
《プロジェクタ》
本実施形態に係るプロジェクタ１２は、例えば図７に示すような処理ブロックで実現される。図７は本実施形態に係るプロジェクタの一例の処理ブロック図である。プロジェクタ１２はプログラムを実行することで、無線通信部６１、近距離無線通信部６２、データ送信部６３、データ受信部６４、映像出力部６５、リクエスト受付部６６、リクエスト処理部６７、近距離無線通信情報管理部６８、記憶部６９を実現している。
【００５４】
無線通信部６１は通信部７０４による無線通信を実行する。近距離無線通信部６２は近距離無線通信部７０７による近距離無線通信を実行する。データ送信部６３は無線通信を利用したデータ（ファイル）送信を行う。また、データ受信部６４は無線通信を利用したデータ（ファイル）受信を行う。
【００５５】
映像出力部６５は受信したデータ（ファイル）の映像出力（投影）を行う。リクエスト受付部６６はスマートフォン１１からのリクエストを情報蓄積装置１０から受け付ける処理を行う。リクエスト処理部６７は受け付けたリクエストに応じた処理を行う。近距離無線通信情報管理部６８は後述する機器情報を管理する。
【００５６】
なお、近距離無線通信情報管理部６８が管理している機器情報は、プロジェクタ１２自身のＭＡＣアドレスやＩＰアドレスなどの接続情報と、プロジェクタ１２自身が出力中のファイルの原本追跡情報とが含まれる。記憶部６９は機器情報を記憶する。
【００５７】
＜処理の詳細＞
以下では、本実施形態に係る連携処理システム１の処理の詳細について説明する。
【００５８】
《機器情報取得》
図１の連携処理システム１において、スマートフォン１１は例えば図８に示すように機器情報を取得する。図８は機器情報を取得する手順の一例の説明図である。図１の連携処理システム１は会議室Ａに設置されたプロジェクタ１２Ａ、ＩＷＢ１３Ａ、ＭＦＰ１４Ａ毎に、近距離無線装置１６Ａ〜１８Ａが設置されている。近距離無線装置１６Ａには例えば図９に示すような機器情報が記憶されている。
【００５９】
図９は、近距離無線装置が記憶している機器情報の一例の構成図である。図９の機器情報は会議室Ａに設置されているプロジェクタ１２Ａの機器情報を一例として示したものである。図９のプロジェクタ１２Ａの機器情報は、プロジェクタ１２Ａの接続情報と、プロジェクタ１２自身が出力中のファイルの原本追跡情報とが含まれる。
【００６０】
図９ではプロジェクタ１２Ａの接続情報の一例として、ＩＰアドレス、ホスト名、ＭＡＣアドレス、機器種別、会議室、機器ＩＤを示している。プロジェクタ１２Ａの接続情報はプロジェクタ１２Ａを特定するための情報と、プロジェクタ１２Ａと接続するための情報と、会議室を特定するための情報が含まれる。
【００６１】
また、図９では、プロジェクタ１２自身が出力中のファイルの原本追跡情報の一例としてＩＰアドレス、ホスト名、ＭＡＣアドレス、機器種別、会議室、ファイルパスを示している。プロジェクタ１２自身が出力中のファイルの原本追跡情報はプロジェクタ１２自身が出力中のファイルの原本が保存されている情報蓄積装置１０の接続情報と、プロジェクタ１２自身が出力中のファイルの原本のファイルパスとが含まれる。
【００６２】
図９では情報蓄積装置１０の接続情報の一例として、ＩＰアドレス、ホスト名、ＭＡＣアドレス、機器種別、会議室を示している。情報蓄積装置１０の接続情報は情報蓄積装置１０を特定するための情報と、情報蓄積装置１０と接続するための情報と、会議室を特定するための情報が含まれる。なお、図９では情報蓄積装置１０にファイルの原本が保存される前の状態を一例として示しているため、原本追跡情報が空欄となっている。
【００６３】
スマートフォン１１は近距離無線装置１６Ａに機器情報を要求することで、図８に示すように、近距離無線装置１６Ａから図９に示すようなプロジェクタ１２Ａの機器情報を取得できる。
【００６４】
同様に、スマートフォン１１は近距離無線装置１７Ａ、１８Ａに機器情報を要求することで、ＩＷＢ１３Ａ、ＭＦＰ１４Ａの機器情報を取得できる。ＩＷＢ１３Ａ、ＭＦＰ１４Ａの機器情報の図示は省略する。
【００６５】
このように、本実施形態の連携処理システム１では近距離無線装置１６〜１８から機器情報を取得できるようにしたことで会議室などの限られた空間内のスマートフォン１１からの電子機器の制御を許可できる。
【００６６】
また、本実施形態の連携処理システム１では近距離無線装置１６〜１８から機器情報を取得できるようにしたことで、ユーザがスマートフォン１１へ機器情報を入力する手間を省略できる。
【００６７】
《ファイルの出力と原本の取得》
ここではスマートフォン１１ａのリクエストによりプロジェクタ１２Ａが出力しているファイルの原本を、スマートフォン１１ｂが取得する処理を一例として説明するが、プロジェクタ１２Ａ以外の電子機器が出力しているファイルの原本であってもよい。
【００６８】
図１０は本実施形態の連携処理システムにおいてファイルの投影と原本の取得を行う処理の一例のシーケンス図である。なお、図１０ではスマートフォン１１ａをユーザＡが操作し、スマートフォン１１ｂをユーザＢが操作しているものとする。
【００６９】
ステップＳ１において、スマートフォン１１ａの機器情報取得部２７は近距離無線装置１６Ａから図９に示したプロジェクタ１２Ａの機器情報を取得する。ステップＳ２においてスマートフォン１１ａの記憶部２８は機器情報取得部２７が取得したプロジェクタ１２Ａの機器情報を記憶（登録）する。
【００７０】
ステップＳ３においてスマートフォン１１ａの入力部２２はユーザＡからファイル投影のための入力操作を受け付ける。ステップＳ４、Ｓ５において、スマートフォン１１ａのデータ送信部２５はプロジェクタ１２Ａの機器情報から読み出したプロジェクタ１２Ａの機器ＩＤと共に、投影対象のファイルを中継サーバ１９経由で情報蓄積装置１０にアップロードする。なお、スマートフォン１１ａは、例えば情報蓄積装置１０への登録（ペアリング）が終了しており、情報蓄積装置１０の接続情報を取得済みである。
【００７１】
また、ステップＳ５におけるアップロード処理は以下のように行われても良い。情報蓄積装置１０は、情報蓄積装置１０へのリクエストが無いかを中継サーバ１９に問い合わせる処理を行う。情報蓄積装置１０は、問い合わせに応じて中継サーバ１９から送信されるスマートフォン１１からのリクエスト（前述のプロジェクタ１２Ａの機器ＩＤ及び投影対象のファイル）を中継サーバ１９から受け付ける。このような構成とすることで、スマートフォン１１ａと情報蓄積装置１０とが異なるネットワークにあり、情報蓄積装置１０の接続されるイントラネットがファイアウォールにより保護されている場合であってもスマートフォン１１ａから送信される要求やデータ、情報を情報蓄積装置１０が受け付けることができる。
【００７２】
ステップＳ６において、情報蓄積装置１０のファイル管理部４５はプロジェクタ１２Ａの機器ＩＤと対応付けて投影対象のファイルを保存する。ステップＳ７において、情報蓄積装置１０のリクエスト処理部４８は保存した投影対象のファイルのファイルパスを含む原本追跡情報の登録リクエストをプロジェクタ１２Ａに対して行う。
【００７３】
ステップＳ８においてプロジェクタ１２Ａの近距離無線通信情報管理部６８は図９のプロジェクタ１２Ａの機器情報に、投影対象のファイルのファイルパスを含む原本追跡情報を図１１のように登録する。図１１は原本追跡情報が登録された機器情報の一例の構成図である。図１１のプロジェクタ１２Ａの機器情報により、プロジェクタ１２Ａは自身が投影中のファイルの原本追跡情報を、近距離無線装置１６Ａからスマートフォン１１ｂなどに提供できるようになる。
【００７４】
ステップＳ９、Ｓ１０において、スマートフォン１１ａの出力依頼部２９は図９のプロジェクタ１２Ａの機器情報を利用し、プロジェクタ１２Ａに対するファイル出力リクエストを、中継サーバ１９経由で情報蓄積装置１０に送信する。ステップＳ１１において情報蓄積装置１０のファイル管理部４５は投影対象のファイルのデータ形式をプロジェクタ１２Ａが投影可能なデータ形式に変換する。なお、ステップＳ１１の投影対象のファイルのデータ形式の変換は必要に応じて行われる。
【００７５】
ステップＳ１２において、情報蓄積装置１０のリクエスト送信部５０はプロジェクタ１２Ａに投影対象のファイルのファイル出力リクエストを送信する。ステップＳ１３においてプロジェクタ１２Ａの映像出力部６５は情報蓄積装置１０から受信したファイル出力リクエストに応じて、投影対象のファイルの投影を行う。
【００７６】
なお、情報蓄積装置１０のリクエスト処理部４８は図１２に示すようなリクエスト情報を記憶部４９に記憶させ、スマートフォン１１ａなどからの出力リクエストを管理するようにしてもよい。図１２はリクエスト情報の一例の構成図である。図１２のリクエスト情報はリクエスト先、出力開始時間、出力終了時間、出力ファイル、リクエスト元などのデータ項目を含んでいる。図１２のリクエスト情報により、情報蓄積装置１０はファイル出力リクエストのリクエスト元、リクエスト先、出力ファイルなどを対応付けて管理できる。
【００７７】
ステップＳ１４において、スマートフォン１１ｂの機器情報取得部２７は近距離無線装置１６Ａから図１１に示したプロジェクタ１２Ａの機器情報を取得する。ステップＳ１５においてスマートフォン１１ｂの記憶部２８は機器情報取得部２７が取得したプロジェクタ１２Ａの機器情報を記憶（登録）する。このように、スマートフォン１１ｂは近距離無線装置１６Ａからプロジェクタ１２Ａが投影中のファイルの原本追跡情報を取得することができる。
【００７８】
ステップＳ１６において、スマートフォン１１ｂの表示部２１は、図１３に示すようなＵＩ（ユーザインタフェース）１０００をディスプレイ６１６に表示し、タッチパネル６１７からユーザＢによる原本取得のための入力操作を受け付ける。
【００７９】
図１３は原本取得をユーザから受け付けるＵＩの一例のイメージ図である。図１３のＵＩ１０００は原本取得を選択する原本取得ボタン１００１が設けられている。ユーザＢは原本取得ボタン１００１を押下することにより、原本取得のための入力操作を行うことができる。
【００８０】
なお、スマートフォン１１ｂは複数のプロジェクタ１２の機器情報が記憶部２８に記憶されている場合に、例えば図１４に示すＵＩ１０１０をディスプレイ６１６に表示することでユーザＢからプロジェクタ選択の入力操作を受け付けてもよい。図１４はプロジェクタ選択をユーザから受け付けるＵＩの一例のイメージ図である。図１４のＵＩ１０１０は電子機器の機器種別を表示し、投影しているファイルの原本を取得するプロジェクタ１２を選択させる例であるが、例えば原本追跡情報のファイルパスを利用してサムネイル画像を取得し、ＵＩ１０１０に追加表示してもよい。
【００８１】
スマートフォン１１ｂの原本取得依頼部３０は記憶部２８に記憶されている図１１のプロジェクタ１２Ａの機器情報から原本追跡情報を読み出す。ステップＳ１７、Ｓ１８において、原本取得依頼部３０は原本追跡情報を利用し、プロジェクタ１２Ａの機器情報から読み出したプロジェクタ１２Ａの機器ＩＤと共に、プロジェクタ１２Ａが出力中のファイルのダウンロードをリクエストする。
【００８２】
そして、スマートフォン１１ｂからのファイルダウンロードリクエストを受信した情報蓄積装置１０のデータ送信部４３は、プロジェクタ１２ａが出力中のファイルの原本をスマートフォン１１ｂに送信する。なお、情報蓄積装置１０は、プロジェクタ１２ａが出力中のファイルの原本をスマートフォン１１ｂに送信する前に、スマートフォン１１ｂがダウンロード許可されているか否かを判定し、セキュリティを向上させてもよい。
【００８３】
なお、投影中のファイルの原本のスマートフォン１１ｂへのダウンロードを許可するか否かの設定は、例えばステップＳ３においてユーザＡがファイル投影のための入力操作を行うときに、設定できるようにしてもよい。
【００８４】
したがって、プロジェクタ１２Ａが接続されているネットワークＮ３に接続できないスマートフォン１１ｂであっても、プロジェクタ１２Ａが投影しているファイルの原本を容易に取得できる。
【００８５】
ステップＳ１９において、スマートフォン１１ａの入力部２２はユーザＡから投影終了のための入力操作を受け付ける。ステップＳ２０、Ｓ２１においてスマートフォン１１ａの出力依頼部２９は図９のプロジェクタ１２Ａの機器情報を利用し、プロジェクタ１２Ａに対する投影終了リクエストを、中継サーバ１９経由で情報蓄積装置１０に送信する。
【００８６】
ステップＳ２２において、情報蓄積装置１０のリクエスト送信部５０はプロジェクタ１２Ａに投影終了リクエストを送信する。ステップＳ２３において、情報蓄積装置１０のファイル管理部４５はステップＳ６でプロジェクタ１２Ａの機器ＩＤと対応付けて保存した投影対象のファイルを削除する。また、ステップＳ２４において、プロジェクタ１２Ａの近距離無線通信情報管理部６８は図１１のプロジェクタ１２Ａの機器情報に含まれる原本追跡情報を削除する。
【００８７】
なお、プロジェクタ１２Ａの近距離無線通信情報管理部６８はスマートフォン１１ａとの近距離通信が切断された場合に、図１１のプロジェクタ１２Ａの機器情報に含まれる原本追跡情報を削除し、セキュリティを向上してもよい。
［第２の実施形態］
第２の実施形態の連携処理システム１では第１の実施形態のプロジェクタ１２にゲスト用ＩＤ生成部７０を追加したプロジェクタ１２を利用する。そして、第２の実施形態の連携処理システム１ではプロジェクタ１２のゲスト用ＩＤ生成部７０が生成するゲスト用ＩＤをプロジェクタ１２の機器情報に追加することでセキュリティを強化できる。なお、第２の実施形態の説明では第１の実施形態と同一な部分についての説明を省略する。
【００８８】
図１５は本実施形態に係るプロジェクタの他の例の処理ブロック図である。図１５のプロジェクタ１２は図７のプロジェクタ１２の構成にゲスト用ＩＤ生成部７０が追加された構成である。ゲスト用ＩＤ生成部７０はリクエスト受付部６６がゲスト用ＩＤ生成要求を受け付けた際に、ランダムなゲスト用ＩＤを生成する。
【００８９】
なお、プロジェクタ１２Ａの近距離無線装置１６Ａには例えば図１６に示すような機器情報が記憶されている。図１６は近距離無線装置が記憶している機器情報の他の例の構成図である。図１６の機器情報は図９の機器情報にゲスト用ＩＤが追加されている。図１６では、情報蓄積装置１０にファイルの原本が保存される前の状態を一例として示しているため、原本追跡情報が空欄となっている。図１６の機器情報に示すように、原本追跡情報にはゲスト用ＩＤが含まれる。したがって、第２の実施形態の連携処理システム１ではプロジェクタ１２Ａが投影しているファイルの原本を取得する際、プロジェクタ１２のゲスト用ＩＤ生成部７０が生成するゲスト用ＩＤが必要となる。
【００９０】
ここではスマートフォン１１ａのリクエストによりプロジェクタ１２Ａが出力しているファイルの原本を、スマートフォン１１ｂが取得する処理を一例として説明するが、プロジェクタ１２Ａ以外の電子機器が出力しているファイルの原本であってもよい。
【００９１】
図１７は本実施形態の連携処理システムにおいてファイルの投影と原本の取得を行う処理の他の例のシーケンス図である。なお、図１７ではスマートフォン１１ａをユーザＡが操作し、スマートフォン１１ｂをユーザＢが操作しているものとする。
【００９２】
ステップＳ３１において、スマートフォン１１ａの機器情報取得部２７は近距離無線装置１６Ａから図１６に示したプロジェクタ１２Ａの機器情報を取得する。ステップＳ３２においてスマートフォン１１ａの記憶部２８は機器情報取得部２７が取得したプロジェクタ１２Ａの機器情報を記憶（登録）する。
【００９３】
ステップＳ３３においてスマートフォン１１ａの入力部２２はユーザＡからファイル投影のための入力操作を受け付ける。ステップＳ３４において、スマートフォン１１ａの出力依頼部２９はプロジェクタ１２Ａのゲスト用ＩＤ生成部７０にゲスト用ＩＤの生成をリクエストする。ステップＳ３５において、ゲスト用ＩＤ生成部７０はゲスト用ＩＤを生成する。ステップＳ３６において、プロジェクタ１２Ａの近距離無線通信部６２によりゲスト用ＩＤをスマートフォン１１ａに送信する。
【００９４】
スマートフォン１１ａのデータ送信部２５は、プロジェクタ１２Ａの機器情報からプロジェクタ１２Ａの機器ＩＤを読み出す。ステップＳ３７、Ｓ３８においてスマートフォン１１ａのデータ送信部２５はプロジェクタ１２Ａの機器ＩＤとゲスト用ＩＤと共に、投影対象のファイルを中継サーバ１９経由で情報蓄積装置１０にアップロードする。
【００９５】
ステップＳ３９において、情報蓄積装置１０のファイル管理部４５はプロジェクタ１２Ａの機器ＩＤとゲスト用ＩＤとを対応付けて投影対象のファイルを保存する。ステップＳ４０において、情報蓄積装置１０のリクエスト処理部４８は保存した投影対象のファイルのファイルパス、ゲスト用ＩＤを含む原本追跡情報の登録リクエストをプロジェクタ１２Ａに対して行う。
【００９６】
ステップＳ４１においてプロジェクタ１２Ａの近距離無線通信情報管理部６８は図１６のプロジェクタ１２Ａの機器情報に、投影対象のファイルのファイルパス、ゲスト用ＩＤを含む原本追跡情報を図１８のように登録する。図１８は原本追跡情報が登録された機器情報の他の例の構成図である。
【００９７】
図１８のプロジェクタ１２Ａの機器情報により、プロジェクタ１２Ａは自身が投影中のファイルの原本追跡情報を、近距離無線装置１６Ａからスマートフォン１１ｂなどに提供できるようになる。
【００９８】
ステップＳ４２、Ｓ４３において、スマートフォン１１ａの出力依頼部２９は図１６のプロジェクタ１２Ａの機器情報を利用し、プロジェクタ１２Ａに対するファイル出力リクエストを、中継サーバ１９経由で情報蓄積装置１０に送信する。ステップＳ４４において情報蓄積装置１０のファイル管理部４５は投影対象のファイルのデータ形式をプロジェクタ１２Ａが投影可能なデータ形式に変換する。なお、ステップＳ４４の投影対象のファイルのデータ形式の変換は必要に応じて行われる。
【００９９】
ステップＳ４５において、情報蓄積装置１０のリクエスト送信部５０はプロジェクタ１２Ａに投影対象のファイルのファイル出力リクエストを送信する。ステップＳ４６においてプロジェクタ１２Ａの映像出力部６５は情報蓄積装置１０から受信したファイル出力リクエストに応じて、投影対象のファイルの投影を行う。
【０１００】
ステップＳ４７において、スマートフォン１１ｂの機器情報取得部２７は近距離無線装置１６Ａから図１８に示したプロジェクタ１２Ａの機器情報を取得する。ステップＳ４８においてスマートフォン１１ｂの記憶部２８は機器情報取得部２７が取得したプロジェクタ１２Ａの機器情報を記憶（登録）する。このように、スマートフォン１１ｂは近距離無線装置１６Ａからプロジェクタ１２Ａが投影中のファイルの原本追跡情報を取得することができる。
【０１０１】
ステップＳ４９において、スマートフォン１１ｂの表示部２１は、図１３に示すようなＵＩ１０００をディスプレイ６１６に表示し、タッチパネル６１７からユーザＢによる原本取得のための入力操作を受け付ける。
【０１０２】
スマートフォン１１ｂの原本取得依頼部３０は記憶部２８に記憶されている図１８のプロジェクタ１２Ａの機器情報から原本追跡情報を読み出す。ステップＳ５０、Ｓ５１において、原本取得依頼部３０は原本追跡情報を利用し、プロジェクタ１２Ａの機器情報から読み出したプロジェクタ１２Ａの機器ＩＤ、ゲスト用ＩＤと共に、プロジェクタ１２Ａが出力中のファイルのダウンロードをリクエストする。
【０１０３】
そして、スマートフォン１１ｂからのファイルダウンロードリクエストを受信した情報蓄積装置１０のデータ送信部４３は、プロジェクタ１２ａが出力中のファイルの原本をスマートフォン１１ｂに送信する。
【０１０４】
したがって、プロジェクタ１２Ａが接続されているネットワークＮ３に接続できないスマートフォン１１ｂはプロジェクタ１２Ａの近距離無線装置１６Ａの通信圏内に存在する場合に、プロジェクタ１２Ａが投影しているファイルの原本を容易に取得できる。
【０１０５】
ステップＳ５２において、スマートフォン１１ａの入力部２２はユーザＡから投影終了のための入力操作を受け付ける。ステップＳ５３、Ｓ５４においてスマートフォン１１ａの出力依頼部２９は図１６のプロジェクタ１２Ａの機器情報を利用し、プロジェクタ１２Ａに対する投影終了リクエストを、中継サーバ１９経由で情報蓄積装置１０に送信する。
【０１０６】
ステップＳ５５において、情報蓄積装置１０のリクエスト送信部５０はプロジェクタ１２Ａに投影終了リクエストを送信する。ステップＳ５６において、情報蓄積装置１０のファイル管理部４５はステップＳ３９でプロジェクタ１２Ａの機器ＩＤ及びゲスト用ＩＤと対応付けて保存した投影対象のファイルを削除する。また、ステップＳ５７においてプロジェクタ１２Ａの近距離無線通信情報管理部６８は図１８のプロジェクタ１２Ａの機器情報に含まれる原本追跡情報を削除する。
［第３の実施形態］
第３の実施形態の連携処理システム１はスマートフォン１１ａのリクエストによりプロジェクタ１２Ａが投影しているファイルを、スマートフォン１１ｂのリクエストによりＭＦＰ１４Ａから印刷する処理を一例として説明する。なお、第３の実施形態の説明では第１の実施形態と同一な部分についての説明を省略する。
【０１０７】
図１９は本実施形態の連携処理システムにおいてファイルの投影とファイルの印刷を行う処理の一例のシーケンス図である。なお、図１０ではスマートフォン１１ａをユーザＡが操作し、スマートフォン１１ｂをユーザＢが操作しているものとする。
【０１０８】
ステップＳ１０１において、スマートフォン１１ａの機器情報取得部２７は近距離無線装置１６Ａから図９に示したプロジェクタ１２Ａの機器情報を取得する。ステップＳ１０２においてスマートフォン１１ａの記憶部２８は機器情報取得部２７が取得したプロジェクタ１２Ａの機器情報を記憶（登録）する。
【０１０９】
ステップＳ１０３においてスマートフォン１１ａの表示部２１は図２０に示すようなＵＩ１１００をディスプレイ６１６に表示し、タッチパネル６１７からユーザＡによる入力操作を受け付ける。図２０はファイル出力の選択をユーザから受け付けるＵＩの一例のイメージ図である。図２０のＵＩ１１００はファイル出力として印刷を選択する印刷ボタンと、プロジェクタ投影を選択するプロジェクタ投影ボタン１１０１と、ＩＷＢ表示を選択するＩＷＢ表示ボタンとが設けられている。ユーザＡはプロジェクタ投影ボタン１１０１を押下することにより、入力部２２に対してファイル投影のための入力操作を行う。
【０１１０】
なお、ステップＳ１０４〜Ｓ１１３の処理は図１０のステップＳ４〜Ｓ１３と同様であるため、説明を省略する。
【０１１１】
ステップＳ１１４において、スマートフォン１１ｂの機器情報取得部２７は近距離無線装置１６Ａから図１１に示したプロジェクタ１２Ａの機器情報を取得する。ステップＳ１１５においてスマートフォン１１ｂの記憶部２８は機器情報取得部２７が取得したプロジェクタ１２Ａの機器情報を記憶（登録）する。このように、スマートフォン１１ｂは近距離無線装置１６Ａからプロジェクタ１２Ａが投影中のファイルの原本追跡情報を取得することができる。
【０１１２】
ステップＳ１１６において、スマートフォン１１ｂの表示部２１は、図２１に示すようなＵＩ１１１０をディスプレイ６１６に表示し、タッチパネル６１７からユーザＢによる印刷、原本取得、表示のための入力操作を受け付ける。図２１は印刷、原本取得、表示をユーザから受け付けるＵＩの一例のイメージ図である。
【０１１３】
図２１のＵＩ１１１０は印刷を選択する印刷ボタン１１１１、原本取得を選択する原本取得ボタン１１１２、表示を選択する表示ボタン１１１３が設けられている。ユーザＢは印刷ボタン１１１１を押下することにより、プロジェクタ１２Ａが投影中のファイルをＭＦＰ１４Ａで印刷するための入力操作を行うことができる。また、ユーザＢは原本取得ボタン１１１２を押下することにより、プロジェクタ１２Ａが投影中のファイルの原本取得のための入力操作を行うことができる。また、ユーザＢは表示ボタン１１１３を押下することによりプロジェクタ１２Ａが投影中のファイルをＩＷＢ１３Ａで表示するための入力操作を行うことができる。ここでは、ユーザＢは印刷ボタン１１１１を押下したものとして説明を続ける。
【０１１４】
ステップＳ１１７において、スマートフォン１１ｂは、複数のＭＦＰ１４の機器情報が記憶部２８に記憶されている場合に、ユーザＢからＭＦＰ１４Ａを選択する入力操作を受け付けてもよい。
【０１１５】
スマートフォン１１ｂの出力依頼部２９は記憶部２８に記憶されている図１１のプロジェクタ１２Ａの機器情報から原本追跡情報を読み出す。ステップＳ１１８、Ｓ１１９において、出力依頼部２９は原本追跡情報を利用し、プロジェクタ１２Ａの機器情報から読み出したプロジェクタ１２Ａの機器ＩＤと共に、プロジェクタ１２Ａが出力中のファイルの印刷をリクエストする。
【０１１６】
スマートフォン１１ｂからの印刷リクエストを受信した情報蓄積装置１０のデータ送信部４３はプロジェクタ１２ａが出力中のファイルをＭＦＰ１４Ａに送信する。なお、ＭＦＰ１４Ａに送信するファイルのデータ形式は必要に応じてファイル管理部４５がＭＦＰ１４Ａで印刷可能なデータ形式に変換する。
【０１１７】
ＭＦＰ１４ＡはステップＳ１２１において、プロジェクタ１２ａが出力中のファイルを印刷する。したがって、プロジェクタ１２Ａが接続されているネットワークＮ３に接続できないスマートフォン１１ｂであっても、プロジェクタ１２Ａが投影しているファイルをＭＦＰ１４Ａで容易に印刷できる。なお、ステップＳ１２２〜Ｓ１２７の処理は図１０のステップＳ１９〜Ｓ２４と同様であるため、説明を省略する。
【０１１８】
第３の実施形態ではスマートフォン１１ａのリクエストによりプロジェクタ１２Ａが投影しているファイルを、スマートフォン１１ｂのリクエストによりＭＦＰ１４Ａから印刷する処理を一例として説明した。同様な手順により、スマートフォン１１ａのリクエストによりプロジェクタ１２Ａが投影しているファイルを、スマートフォン１１ａのリクエストによりＭＦＰ１４Ａから印刷することも可能である。
［第４の実施形態］
次に、イントラネット内にスマートフォン１１が接続されている場合の実施形態を記載する。本実施形態では、図２２に示すように、スマートフォン１１ａ及びスマートフォン１１ｂがイントラネット内に接続されている。
【０１１９】
本実施形態における処理の一例を図２３に示す。図２３に示すように、スマートフォン１１ａ及びスマートフォン１１ｂは、情報蓄積装置１０とイントラネットを介して直接通信を行う。このような実施形態とすることで、中継サーバ１９を用いる必要がない場合であっても前述の連携処理システム１を実現することができる。
［第５の実施形態］
次に、原本追跡情報を情報蓄積装置１０が保持する場合の実施形態を記載する。本実施形態における処理の一例を図２４に示す。
【０１２０】
ステップＳ３０１において、スマートフォン１１ａの機器情報取得部２７は近距離無線装置１６Ａから図９に示したプロジェクタ１２Ａの機器情報を取得する。ステップＳ３０２においてスマートフォン１１ａの記憶部２８は機器情報取得部２７が取得したプロジェクタ１２Ａの機器情報を記憶（登録）する。なお、機器情報の取得は必ずしも近距離無線装置１６Ａから取得せずに、ＱＲコード（登録商標）などの機器情報が埋め込まれた画像を撮影することで取得してもよい。
【０１２１】
ステップＳ３０３においてスマートフォン１１ａの入力部２２はユーザＡからファイル投影のための入力操作を受け付ける。ステップＳ３０４において、スマートフォン１１ａのデータ送信部２５はプロジェクタ１２Ａの機器情報から読み出したプロジェクタ１２Ａの機器ＩＤと共に、投影対象のファイルを情報蓄積装置１０にアップロードする。
【０１２２】
ステップＳ３０５において、情報蓄積装置１０のファイル管理部４５はプロジェクタ１２Ａの機器ＩＤと対応付けて投影対象のファイルを保存する。
【０１２３】
ステップＳ３０６において情報蓄積装置１０のファイル管理部４５は図９のプロジェクタ１２Ａの機器情報に、投影対象のファイルのファイルパスを含む原本追跡情報を図１１のように登録する。なお、ステップＳ３０５で機器ＩＤと対応付けて投影対象のファイルを保存しているため、ステップＳ３０６のような原本追跡情報を記憶しなくてもよい（機器ＩＤと対応付けて投影対象のファイルを保存することで、情報蓄積装置１０は、対象機器（プロジェクタ１２Ａ）から出力されているファイルを特定することができるため）。
【０１２４】
ステップＳ３０７において情報蓄積装置１０のファイル管理部４５は投影対象のファイルのデータ形式をプロジェクタ１２Ａが投影可能なデータ形式に変換する。なお、ステップＳ１１の投影対象のファイルのデータ形式の変換は必要に応じて行われる。そして、ステップＳ３０８において、情報蓄積装置１０のリクエスト処理部４８は保存した投影対象のファイルのファイルパスを含む原本追跡情報の登録リクエストをプロジェクタ１２Ａに対して行う。プロジェクタ１２Ａは、受信したリクエストに応じて、情報蓄積装置１０から送信されたファイルを投影する。
【０１２５】
ステップＳ３１０において、スマートフォン１１ｂの機器情報取得部２７は近距離無線装置１６Ａから図９に示したプロジェクタ１２Ａの機器情報を取得する。ステップＳ３１１においてスマートフォン１１ｂの記憶部２８は機器情報取得部２７が取得したプロジェクタ１２Ａの機器情報を記憶（登録）する。
【０１２６】
ステップＳ３１２おいて、スマートフォン１１ｂの表示部２１は、図１３に示すようなＵＩ（ユーザインタフェース）１０００をディスプレイ６１６に表示し、タッチパネル６１７からユーザＢによる原本取得のための入力操作を受け付ける。
【０１２７】
ステップＳ３１３において、スマートフォン１１ｂの原本取得依頼部３０はステップＳ３１０で取得した機器情報を利用し、プロジェクタ１２Ａの機器情報から読み出したプロジェクタ１２Ａの機器ＩＤと共に、プロジェクタ１２Ａが出力中のファイルのダウンロードをリクエストする。
【０１２８】
スマートフォン１１ｂからのファイルダウンロードリクエストを受信した情報蓄積装置１０のデータ送信部４３は、ステップＳ３０６で記憶した原本追跡情報を利用して、プロジェクタ１２ａが出力中のファイルの原本を特定する（ステップＳ３１４）。そして、情報蓄積装置１０のデータ送信部４３は特定されたファイルをスマートフォン１１ｂで表示可能な形式に変換して（ステップＳ３１５）、スマートフォン１１ｂに送信する（ステップＳ３１６）。なお、情報蓄積装置１０がステップＳ３０６で原本追跡情報を記憶しない場合、情報蓄積装置１０はステップＳ３０５においてファイルとともに保存された機器ＩＤを利用して、ファイルを特定してもよい。
【０１２９】
ステップＳ３１８において、スマートフォン１１ａの入力部２２はユーザＡから投影終了のための入力操作を受け付ける。ステップＳ３１９においてスマートフォン１１ａの出力依頼部２９は図９のプロジェクタ１２Ａの機器情報を利用し、プロジェクタ１２Ａに対する投影終了リクエストを、情報蓄積装置１０に送信する。
【０１３０】
ステップＳ３２０において、情報蓄積装置１０のファイル管理部４５はステップＳ３０５でプロジェクタ１２Ａの機器ＩＤと対応付けて保存した投影対象のファイルを削除する。また、ステップＳ３２１において、情報蓄積装置１０のファイル管理部４５はステップＳ３０６において保存した原本追跡情報を削除する。そして、ステップＳ３２２において、情報蓄積装置１０のリクエスト送信部５０はプロジェクタ１２Ａに投影終了リクエストを送信する。
【０１３１】
このような処理とすることで、プロジェクタ側に原本情報を記憶させる機能がなくても出力されているファイルを取得することができる。
【０１３２】
＜まとめ＞
以上、本実施形態に係る連携処理システム１によれば、プロジェクタ１２などの電子機器が出力しているデータの原本を、電子機器と同一のネットワークＮ３に接続できないスマートフォン１１が、容易に取得できる。
【０１３３】
また、本実施形態に係る連携処理システム１によれば、スマートフォン１１は電子機器の近距離無線装置１６〜１８から機器情報を取得できるので、ユーザがスマートフォン１１に機器情報を入力する手間を省くことができる。また、本実施形態に係る連携処理システム１によれば、スマートフォン１１は電子機器の近距離無線装置１６〜１８から機器情報を取得できなければ、電子機器が出力しているデータの原本取得、印刷や表示を行うことができないため、セキュリティが向上する。
【０１３４】
本実施形態の連携処理システム１では、スマートフォン１１を持つユーザが電子機器の付近に近づくことにより、電子機器の機器情報を近距離無線によりスマートフォン１１が取得する。
【０１３５】
また、本実施形態の連携処理システム１では電子機器がデータを出力する前に、電子機器が出力するデータの原本を情報蓄積装置１０が保存する。電子機器にデータが出力されたあと、電子機器から機器情報を取得したスマートフォン１１は、電子機器の機器情報を利用して情報蓄積装置１０から電子機器が出力しているデータの原本を取得できる。
【０１３６】
本発明は、具体的に開示された上記の実施形態に限定されるものではなく、特許請求の範囲から逸脱することなく、種々の変形や変更が可能である。
【０１３７】
ネットワークＮ１は特許請求の範囲に記載した第一のネットワークの一例する。ネットワークＮ３は第二のネットワークの一例である。スマートフォン１１ａは第一の端末装置の一例である。スマートフォン１１ｂは第二の端末装置の一例である。情報蓄積装置１０は情報処理装置の一例である。プロジェクタ１２Ａは電子機器の一例である。連携処理システム１は情報処理システムの一例である。近距離無線装置１６Ａは機器情報記憶装置の一例である。ゲスト用ＩＤは一の電子機器が出力している電子データの取得に必要となる識別情報の一例である。プロジェクタ１２Ａが出力中のファイルのダウンロードリクエストは電子データの取得要求の一例である。
【符号の説明】
【０１３８】
１    連携処理システム
１０    情報蓄積装置
１１、１１ａ、１１ｂ    スマートフォン
１２、１２Ａ、１２Ｂ    プロジェクタ
１３Ａ、１３Ｂ    ＩＷＢ（インタラクティブホワイトボード）
１４Ａ、１４Ｂ    ＭＦＰ（Ｍｕｌｔｉ  Ｆｕｎｃｔｉｏｎ  Ｐｅｒｉｐｈｅｒａｌ：複合機）
１６Ａ、１６Ｂ、１７Ａ、１７Ｂ、１８Ａ、１８Ｂ    近距離無線装置
１９    中継サーバ
２１    表示部
２２    入力部
２３    無線通信部
２４    近距離無線通信部
２５    データ送信部
２６    データ受信部
２７    機器情報取得部
２８    記憶部
２９    出力依頼部
３０    原本取得依頼部
４１    入力部
４２    通信部
４３    データ送信部
４４    データ受信部
４５    ファイル管理部
４６    リクエスト問い合わせ部
４７    リクエスト受付部
４８    リクエスト処理部
４９    記憶部
５０    リクエスト送信部
６１    無線通信部
６２    近距離無線通信部
６３    データ送信部
６４    データ受信部
６５    映像出力部
６６    リクエスト受付部
６７    リクエスト処理部
６８    近距離無線通信情報管理部
６９    記憶部
７０    ゲスト用ＩＤ生成部
５００    コンピュータ
５０１    入力装置
５０２    表示装置
５０３    外部Ｉ／Ｆ
５０３ａ    記録媒体
５０４    ＲＡＭ
５０５    ＲＯＭ
５０６    ＣＰＵ
５０７    通信Ｉ／Ｆ
５０８    ＨＤＤ
６００    端末装置
６０１    ＣＰＵ
６０２    ＲＯＭ
６０３    ＲＡＭ
６０４    ＥＥＰＲＯＭ
６０５    ＣＭＯＳセンサ
６０６    加速度・方位センサ
６０７    記録メディア
６０８    メディアドライブ
６０９    音声入力部
６１０    音声出力部
６１１    アンテナ
６１２    通信部
６１３    無線ＬＡＮ通信部
６１４    近距離無線通信用アンテナ
６１５    近距離無線通信部
６１６    ディスプレイ
６１７    タッチパネル
６１８    電池
６１９    バスライン
７０１    ＣＰＵ
７０２    ＲＡＭ
７０３    ＲＯＭ
７０４    通信部
７０５    アンテナ
７０６    操作キー
７０７    近距離無線通信部
７０８    近距離無線通信用アンテナ
７０９    投影装置
７１０    バスライン
Ｂ    バス
Ｎ１〜Ｎ３    ネットワーク
【先行技術文献】
【特許文献】
【０１３９】
【特許文献１】特開２００５−２０８８２３号公報
【図１】
0006551058.tif 000002
【図２】
0006551058.tif 000003
【図３】
0006551058.tif 000004
【図４】
0006551058.tif 000005
【図５】
0006551058.tif 000006
【図６】
0006551058.tif 000007
【図７】
0006551058.tif 000008
【図８】
0006551058.tif 000009
【図９】
0006551058.tif 000010
【図１０】
0006551058.tif 000011
【図１１】
0006551058.tif 000012
【図１２】
0006551058.tif 000013
【図１３】
0006551058.tif 000014
【図１４】
0006551058.tif 000015
【図１５】
0006551058.tif 000016
【図１６】
0006551058.tif 000017
【図１７】
0006551058.tif 000018
【図１８】
0006551058.tif 000019
【図１９】
0006551058.tif 000020
【図２０】
0006551058.tif 000021
【図２１】
0006551058.tif 000022
【図２２】
0006551058.tif 000023
【図２３】
0006551058.tif 000024
【図２４】
0006551058.tif 000025